(57)【要約】【課題】ボールの表面を凸凹のない表面にする。【解決手段】織布片７と織布片７のブラダー側面に設けられたクッション片８とからなる複数個のカーカス片６どうしの縫糸９で結合された接合部１０が一方のカーカス片６の側に折り返されて表皮４の側に位置する一方のカーカス片６の二重となるように折り曲げられた部分とブラダー２の側に位置する他方のカーカス片６の板状となった部分とを積層した造形に構成されたことにより、折り返された接合部１０が内部空間５に圧縮空気の注入されたブラダー２で外側に押し出された場合に上記折り返された接合部１０とそれ以外のカーカス片６の部分とが同じ厚さになるように、接合部１０におけるクッション片８がカーカス片６の表皮４に接触する最も外側の織布片７とブラダー２との間で圧縮され、ブラダー２がカーカス片６のクッション片８に接触し、接合部１０が表皮４を押し出さず、ボール１の表面が凹凸なく滑らかになる。【選択図】図１
2014132995.tif 000002
【特許請求の範囲】
【請求項１】
ブラダーとその外側を覆うようにカーカス片から構成されたカーカスとその外側を覆う表皮とを備えたボールにおいて、カーカス片が織布片と織布片のブラダー側面に設けられたクッション片とから構成される一方、カーカス片の互いに結合される２つの接合部が織布片とクッション片とから構成されており、これら２つの接合部の織布片どうしが互いに重ね合わされた状態において上記２つの接合部が互いに結合され、この結合された２つの接合部が一方の接合部の側に折り曲げられることにより一方の接合部のクッション片を内側とし織布片を外側として二重となるように折り曲げられた部分と他方の接合部側の織布片とクッション片とからなる板状となった部分とを積層した造形に構成される一方、一方のカーカス片の上記積層の造形となった接合部を除く部分側と他方のカーカス片の上記積層の造形となった接合部を除く部分側とが互いに上記積層の造形となった接合部の両側となるように広げられたことを特徴とするボール。
【請求項２】
ブラダーとその外側を覆うようにカーカス片から構成されたカーカスとその外側を覆う表皮とを備えたボールにおいて、カーカス片が織布片と織布片のブラダー側面に設けられたクッション片とから構成される一方、カーカス片の互いに結合される２つの接合部がクッション片の存在しない織布片だけで構成されており、これら２つの接合部の織布片どうしが互いに重ね合わされた状態において上記２つの接合部が互いに結合され、この結合された２つの接合部が一方の接合部の側に折り曲げられることにより一方の接合部の織布片を当該一方のカーカス片のクッション片に重ね合わせるように折り曲げられた部分と他方の接合部の織布片の板状となった部分とを積層した造形に構成される一方、一方のカーカス片の上記積層の造形となった接合部を除く部分側と他方のカーカス片の上記積層の造形となった接合部を除く部分側とが互いに上記積層の造形となった接合部の両側となるように広げられたことを特徴とするボール。
【請求項３】
ブラダーとその外側を覆うようにカーカス片から構成されたカーカスとその外側を覆う表皮と備えたボールおいて、カーカス片が織布片と織布片のブラダー側面に設けられたクッション片とから構成される一方、カーカス片の互いに結合される２つの接合部のうちの一方の接合部が織布片とクッション片とから構成されており、他方の接合部がクッション片の存在しない織布片だけで構成されており、これら２つの接合部の織布片どうしが互いに重ね合わされた状態において上記２つの接合部が互いに結合され、この結合された２つの接合部が一方の接合部の側に折り曲げられることにより一方の接合部のクッション片を内側とし織布片を外側として二重となるように折り曲げられた部分と他方の接合部側の織布片の板状となった部分とを積層した造形に構成される一方、一方のカーカス片の上記積層の造形となった接合部を除く部分側と他方のカーカス片の上記積層の造形となった接合部を除く部分側とが互いに上記積層の造形となった接合部の両側となるように広げられたことを特徴とするボール。
【請求項４】
ブラダーとその外側を覆うようにカーカス片から構成されたカーカスとその外側を覆う表皮と備えたボールおいて、カーカス片が織布片と織布片のブラダー側面に設けられたクッション片とから構成される一方、カーカス片の互いに結合される２つの接合部のうちの一方の接合部が織布片とクッション片とから構成されており、他方の接合部がクッション片の存在しない織布片だけで構成されており、これら２つの接合部の織布片どうしが互いに重ね合わされた状態において上記２つの接合部が互いに結合され、この結合された２つの接合部が他方の接合部の側に折り曲げられることにより他方の接合部の織布片を二重となるように折り曲げられた部分と一方の接合部の織布片及びクッション片との板状となった部分とを積層した造形に構成される一方、一方のカーカス片の上記積層の造形となった接合部を除く部分側と他方のカーカス片の上記積層の造形となった接合部を除く部分側とが互いに上記積層の造形となった接合部の両側となるように広げられたことを特徴とするボール。
【請求項５】
ブラダーとその外側を覆うようにカーカス片から構成されたカーカスとその外側を覆う表皮と備えたボールおいて、カーカス片が織布片と織布片のブラダー側面に設けられたクッション片とから構成される一方、カーカス片の互いに結合される２つの接合部のうちの一方の接合部が織布片とクッション片とから構成されており、他方の接合部がクッション片の存在しない織布片だけの部分と織布片及びクッション片の存在する部分とで構成されており、これら２つの接合部の織布片どうしが互いに重ね合わされた状態において上記２つの接合部が互いに結合され、この結合された２つの接合部が他方の接合部の側に折り曲げられることにより他方の接合部の織布片及びクッション片の存在する部分のクッション片をクッション片の存在しない織布片に重なるように折り曲げられた部分と一方の接合部の織布片及びクッション片との板状となった部分とを積層した造形に構成される一方、一方のカーカス片の上記積層の造形となった接合部を除く部分側と他方のカーカス片の上記積層の造形となった接合部を除く部分側とが互いに上記積層の造形となった接合部の両側となるように広げられたことを特徴とするボール。
【発明の詳細な説明】
【技術分野】
【０００１】
本発明は、中空で膨らますことのできるボール、とりわけ、カーカスを構成するカーカス片の接合部の構造に関する。
【背景技術】
【０００２】
図８は、特許文献１で開示されたボール３１の内部構造を示す。図８において、ボール３１は、気嚢としてのブラダー３２の外側をカーカス３３で覆い、その外側を表皮３４で覆い、ブラダー３２の内部空間３５に圧縮空気を注入して膨らますことのできるようになっている。カーカス３３は、ボール３１の骨格を構成する部分であり、複数個の織布片３６を互いに結合して球状に構成されている。複数個の織布片３６どうしを結合する接合部３８について、２個の織布片３６が縫糸３７で結合された場合を例として説明すると、２個の織布片３６の縫糸３７で結合された接合部３８が一方の織布片３６の側に折り返された状態でブラダー３２に接触している。よって、圧縮空気がブラダー３２の内部空間３５に注入されるに伴い、ブラダー３２が折り返された接合部３８を外側に押し出し、その押し出された接合部３８が表皮３４を外側に押し出し、ボール３１の表面が凹凸になり、空気圧が下がった場合に、接合部３８が凸に見え、外観が悪くなる。また、ボール３１のバウンドやかたさにむらが生じ、ユーザーの使用感がよくないという欠点がある。
【先行技術文献】
【特許文献】
【０００３】
【特許文献１】実公平５−２４３５４号公報
【発明の概要】
【発明が解決しようとする課題】
【０００４】
本発明は、上記背景技術に鑑みてなされたものであり、ボールの表面を凸凹のない表面とすることを目的とする。
【課題を解決するための手段】
【０００５】
本発明は、ブラダーとその外側を覆うようにカーカス片から構成されたカーカスとその外側を覆う表皮とを備えたボールにおいて、カーカス片が織布片と織布片のブラダー側面に設けられたクッション片とから構成される一方、カーカス片の互いに結合される２つの接合部が織布片とクッション片とから構成されており、これら２つの接合部の織布片どうしが互いに重ね合わされた状態において上記２つの接合部が互いに結合され、この結合された２つの接合部が一方の接合部の側に折り曲げられることにより一方の接合部のクッション片を内側とし織布片を外側として二重となるように折り曲げられた部分と他方の接合部側の織布片とクッション片とからなる板状となった部分とを積層した造形に構成される一方、一方のカーカス片の上記積層の造形となった接合部を除く部分側と他方のカーカス片の上記積層の造形となった接合部を除く部分側とが互いに上記積層の造形となった接合部の両側となるように広げられたことを特徴とするか、又は、ブラダーとその外側を覆うようにカーカス片から構成されたカーカスとその外側を覆う表皮とを備えたボールにおいて、カーカス片が織布片と織布片のブラダー側面に設けられたクッション片とから構成される一方、カーカス片の互いに結合される２つの接合部がクッション片の存在しない織布片だけで構成されており、これら２つの接合部の織布片どうしが互いに重ね合わされた状態において上記２つの接合部が互いに結合され、この結合された２つの接合部が一方の接合部の側に折り曲げられることにより一方の接合部の織布片を当該一方のカーカス片のクッション片に重ね合わせるように折り曲げられた部分と他方の接合部の織布片の板状となった部分とを積層した造形に構成される一方、一方のカーカス片の上記積層の造形となった接合部を除く部分側と他方のカーカス片の上記積層の造形となった接合部を除く部分側とが互いに上記積層の造形となった接合部の両側となるように広げられたことを特徴とするか、又は、ブラダーとその外側を覆うようにカーカス片から構成されたカーカスとその外側を覆う表皮と備えたボールおいて、カーカス片が織布片と織布片のブラダー側面に設けられたクッション片とから構成される一方、カーカス片の互いに結合される２つの接合部のうちの一方の接合部が織布片とクッション片とから構成されており、他方の接合部がクッション片の存在しない織布片だけで構成されており、これら２つの接合部の織布片どうしが互いに重ね合わされた状態において上記２つの接合部が互いに結合され、この結合された２つの接合部が一方の接合部の側に折り曲げられることにより一方の接合部のクッション片を内側とし織布片を外側として二重となるように折り曲げられた部分と他方の接合部側の織布片の板状となった部分とを積層した造形に構成される一方、一方のカーカス片の上記積層の造形となった接合部を除く部分側と他方のカーカス片の上記積層の造形となった接合部を除く部分側とが互いに上記積層の造形となった接合部の両側となるように広げられたことを特徴とするか、又は、ブラダーとその外側を覆うようにカーカス片から構成されたカーカスとその外側を覆う表皮と備えたボールおいて、カーカス片が織布片と織布片のブラダー側面に設けられたクッション片とから構成される一方、カーカス片の互いに結合される２つの接合部のうちの一方の接合部が織布片とクッション片とから構成されており、他方の接合部がクッション片の存在しない織布片だけで構成されており、これら２つの接合部の織布片どうしが互いに重ね合わされた状態において上記２つの接合部が互いに結合され、この結合された２つの接合部が他方の接合部の側に折り曲げられることにより他方の接合部の織布片を二重となるように折り曲げられた部分と一方の接合部の織布片及びクッション片との板状となった部分とを積層した造形に構成される一方、一方のカーカス片の上記積層の造形となった接合部を除く部分側と他方のカーカス片の上記積層の造形となった接合部を除く部分側とが互いに上記積層の造形となった接合部の両側となるように広げられたことを特徴とするか、又は、ブラダーとその外側を覆うようにカーカス片から構成されたカーカスとその外側を覆う表皮と備えたボールおいて、カーカス片が織布片と織布片のブラダー側面に設けられたクッション片とから構成される一方、カーカス片の互いに結合される２つの接合部のうちの一方の接合部が織布片とクッション片とから構成されており、他方の接合部がクッション片の存在しない織布片だけの部分と織布片及びクッション片の存在する部分とで構成されており、これら２つの接合部の織布片どうしが互いに重ね合わされた状態において上記２つの接合部が互いに結合され、この結合された２つの接合部が他方の接合部の側に折り曲げられることにより他方の接合部の織布片及びクッション片の存在する部分のクッション片をクッション片の存在しない織布片に重なるように折り曲げられた部分と一方の接合部の織布片及びクッション片との板状となった部分とを積層した造形に構成される一方、一方のカーカス片の上記積層の造形となった接合部を除く部分側と他方のカーカス片の上記積層の造形となった接合部を除く部分側とが互いに上記積層の造形となった接合部の両側となるように広げられたことを特徴とする。
【発明の効果】
【０００６】
本発明は、カーカス片の互いに結合された２つの接合部が、一方の接合部のクッション片を内側とし織布片を外側として二重となるように折り曲げられた部分と他方の接合部側の織布片とクッション片とからなる板状となった部分とを積層した造形、又は、一方の接合部の側に折り曲げられることにより一方の接合部の織布片を当該一方のカーカス片のクッション片に重ね合わせるように折り曲げられた部分と他方の接合部の織布片の板状となった部分とを積層した造形、又は、一方の接合部の側に折り曲げられることにより一方の接合部の織布片を当該一方のカーカス片のクッション片に重ね合わせるように折り曲げられた部分と他方の接合部の織布片の板状となった部分とを積層した造形、又は、他方の接合部の側に折り曲げられることにより他方の接合部の織布片を二重となるように折り曲げられた部分と一方の接合部の織布片及びクッション片との板状となった部分とを積層した造形、又は、他方の接合部の側に折り曲げられることにより他方の接合部の織布片及びクッション片の存在する部分のクッション片をクッション片の存在しない織布片に重なるように折り曲げられた部分と一方の接合部の織布片及びクッション片との板状となった部分とを積層した造形の何れかに構成されたことにより、この折り返された接合部が内部空間に圧縮空気の注入されたブラダーで外側に押し出された場合に上記折り返された接合部とそれ以外のカーカス片の部分とが同じ厚さになるように、接合部におけるクッション片がカーカス片の表皮に接触する最も外側の織布片とブラダーとの間で圧縮され、ボールの表面が凹凸のない表面となり、ブラダーの空気圧が下がっても接合部が表皮の一部を外側に凸状に押し出すことがなく、また、ボールのバウンドやかたさにむらがなくなるという効果がある。
【図面の簡単な説明】
【０００７】
【図１】実施の形態１に係る一部を破断したボールを示す斜視図。
【図２】実施の形態１に係るカーカス片の製造工程を示す工程図。
【図３】実施の形態２に係るカーカス片の製造工程を示す工程図。
【図４】実施の形態３に係るカーカス片の製造工程を示す工程図。
【図５】実施の形態４に係るカーカス片の製造工程を示す工程図。
【図６】実施の形態５に係るカーカス片の製造工程を示す工程図。
【図７】実施の形態６に係るカーカス片を示す展開図。
【図８】従来の一部を破断したボールを示す斜視図。
【発明を実施するための形態】
【０００８】
図１を参照し、実施の形態１に係るボール１について説明すると、ボール１は、気嚢としてのブラダー２、その外側を覆うカーカス３、その外側を覆う表皮４を備え、ブラダー２の内部空間５に圧縮空気を注入して膨らますことのできるようになっている。カーカス３は、ボール１の骨格を構成する部分であり、複数個のカーカス片６を結合して球状に構成されている。複数個のカーカス片６は織布片７と織布片７のブラダー側面に設けられたクッション片８とから織布片７の周囲にクッション片８の有る接合部１０を備えた造形に構成され、複数個のカーカス片６どうしを縫糸９で結合された接合部１０が一方のカーカス片６の側に折り返されて表皮４の側に位置する一方のカーカス片６におけるクッション片８を内側とし織布片７を外側として二重となるように折り曲げられた部分とブラダー２の側に位置する他方のカーカス片６における織布片７とクッション片８とからなる板状となった部分とを積層した造形に構成されている。
【０００９】
そして、圧縮空気がブラダー２の内部空間５に注入されるに伴い、ブラダー２が接合部１０を外側に押し出した場合に、上記折り返された接合部１０とそれ以外のカーカス片６の部分とが同じ厚さになるように、接合部１０におけるクッション片８がカーカス片６の表皮４に接触する最も外側の織布片７とブラダー２との間で圧縮され、ブラダー２がカーカス片６のクッション片８に接触し、接合部１０が表皮４を外側に押し出すことがなく、ボール１の表面が凹凸のない滑らかな表面となり、ブラダー２の空気圧が下がっても接合部１０が表皮４の一部を外側に凸状に押し出すことがなく、また、ボール１のバウンドやかたさにむらがなくなる。尚、ボール１としては、サッカーボール、バレーボール、ハンドボール、バスケットボール等が考えられる。
【００１０】
尚、表皮４はボール１の人の触れる部分であり、シート状の材料から所定形状に切り出された複数個の表皮片から球状に構成されているが、図１では表皮片どうしの区分線の図示は省略されている。
【００１１】
図２を参照し、実施の形態１に係るカーカス３の製造工程について説明する。先ず、図２のＡ図において、積層シート１１からカーカス片６を所定形状に切り出す。積層シート１１は、織布シート１２の裏面にクッションシート１３を貼り合わせた造形である。織布シート１２は、単層又は複層のどちらでもよい。織布シート１２が複層の場合は、単層どうしがラテックスペーストで貼り合わせられた積層となり、積層の裏面にクッションシート１３が貼り合わせられる。上記クッションシート１３の張り合わせられる織布シート１２の裏面又は積層の裏面は、図２のＤ図に示すブラダー２の側に位置する面である。図２のＡ図に戻り、クッションシート１３の材料としては、ＥＰＤＭ、ＳＢＲ，ＮＲ等のゴム系、又はＥＶＡフォーム、ＰＶＣ、ＰＵ、ＰＶＡ等の樹脂系が考えられる。ＥＰＤＭは、エチレンプロピレンゴムの略号であり、エチレンとプロピレンとジエンモノマーとの共重合による合成ゴムである。ＥＶＡは、エチレンビニルアセテートコポリマーの略号である。
【００１２】
図２のＢ図に示すように、図４のＡ図の積層シート１１から切り出されたカーカス片６は、織布片７とクッション片８とからなる５角形を例示したが、５角形以外の方形、６角形等の所定形状でもよい。カーカス片６の仮想線Ｌから外側が接合部１０である。複数個のカーカス片６どうしを結合させる場合は、仮想線Ｌの上を図２のＣ図で示す縫糸９で結合させる。図２のＣ図において、複数個のカーカス片６どうしを結合させる場合について、２個のカーカス片６の一辺を結合させる場合を例として説明すると、２個のカーカス片６の表面が互いに接触して重ね合わされる。つまり、２個のカーカス片６の織布片７どうしが互いに接触して重ね合わせられる。一方、２個のカーカス片６の接合部１０が互いに位置を合わせられる。
【００１３】
そして、重ね合わされた接合部１０が縫糸９で図２のＢ図に示す仮想線Ｌに沿って結合される。このような結合が図２のＤ図に示すカーカス３を球状に構成するのに必要な枚数の全部に施されることにより、カーカス３がクッション片８を外側に向けた状態で球状に構成される。カーカス３を球状に構成するのに必要な枚数の全部のカーカス片６の所定形状は、１種類でも複種類でもよい。
【００１４】
その後、球状に構成されたカーカス３の外側に出ているクッション片８が球状の中に入るように、球状のカーカス３が裏返される。その際において、必要な枚数の全部が結合された場合、そのうちの一枚のカーカス片６に形成された図外の十字形のスリットを利用すればよい。そして、カーカス３が裏返されることにより、結合されたカーカス片６における織布片７の表面が球状のカーカス３の外側になる。又、球状のカーカス３では、図外のバルブ孔の設けられたカーカス片６と図外の十字形のスリットの設けられたカーカス片６とは対極の位置になるように結合されている。
【００１５】
上記図２のＢ図のように結合されたカーカス片６においては、図２のＤ図に示すように、上記縫糸９で結合された２つの接合部１０が一方のカーカス片６の側に折り曲げられることにより一方のカーカス片６の側に折り返されて表皮４の側に位置する一方のカーカス片６におけるクッション片８を内側とし織布片７を外側として二重となるように折り曲げられた部分とブラダー２の側に位置する他方のカーカス片６における織布片７とクッション片８とからなる板状となった部分とを積層した造形に構成される。又、一方のカーカス片６の上記積層の造形となった接合部１０を除く部分側と他方のカーカス片６の上記積層の造形となった接合部１０を除く部分側とが互いに上記積層の造形となった接合部１０の両側となるように広げられる。更に、織布片７の表面が外側になった球状のカーカス３の内部には、図外のバルブを有するブラダー２が収容され、その後、表皮４がカーカス３の外側に設けられる。
【００１６】
そして、圧縮空気がバルブからブラダー２の内部空間５に注入されるに伴い、ブラダー２が折り返された接合部１０を外側に押し出した場合、接合部１０の両側におけるカーカス片６の織布片７には矢印Ｘ１；Ｘ２で示すように互いに離れる方向への張力が加わり、折り返された接合部１０の部分とそれ以外のカーカス片６の部分とが同じ厚さになるように、折り返された接合部１０におけるクッション片８の部分が外側の織布片７とブラダー２との間で圧縮され、ブラダー２がカーカス片６のクッション片８に接触し、接合部１０が表皮４を外側に押し出すことがなく、ボール１の表面が凹凸のない滑らかな表面となり、ブラダー２の空気圧が下がっても接合部１０が表皮４の一部を外側に凸状に押し出すことがなく、また、ボール１のバウンドやかたさにむらがなくなる。
【００１７】
図３を参照し、実施の形態２に係るカーカス３を構成する複数個のカーカス片１５について説明する。図３では、図１及び図２における実施の形態１と同一部分には同じ符号を付して重複する説明を省略する。図３のＡ図に示すように、カーカス片１５は、織布片１６と織布片１６のブラダー側面に設けられたクッション片１７とから織布片１６の周囲にクッション片１７の無い接合部１８を備えた造形に構成されている。
【００１８】
カーカス片１５の作り方は、次のような方法が考えられる。例えば、織布片１６が図外の織布シートから所定形状に切り出され、クッション片１７が図外のクッションシートから織布片１６よりも小形で同形の所定形状に切り出される。この切り出されたクッション片１７が織布片１６の裏面に仮想線Ｌよりも内側に配置されて貼り合わせられており、接合部１８がクッション片１７で覆われていない状態である。又、別の作り方は、図２のＡ図に示す積層シート１１からカーカス片６が切り出される。この切り出された図２のＢ図に示すカーカス片６における織布片７の周囲からクッション片８を除去することにより、図２のＢ図に示すカーカス片６が図３のＡ図に示すクッション片１７で覆われていない接合部１８を有する造形のカーカス片１５になる。
【００１９】
図３のＢ図に示すように、複数個のカーカス片１５どうしを結合させる場合について、２個のカーカス片１５の一辺を結合させる場合を例として説明すると、２個のカーカス片１５の表面が互いに接触して重ね合わされる。つまり、２個のカーカス片１５の織布片１６どうしが互いに接触して重ね合わせられる。一方、２個のカーカス片１５の接合部１８が互いに位置を合わせられる。その重ね合わされた状態の接合部１８が縫糸９で図３のＡ図に示す仮想線Ｌに沿って結合される。
【００２０】
次に、図３のＣ図に示すように、上記縫糸９で結合された２つの接合部１８が一方のカーカス片１５の側に折り曲げられることにより一方のカーカス片１５の側に折り返されて表皮４の側に位置する一方のカーカス片１５における織布片１６を一方のカーカス片１５におけるクッション片１７に重ね合わせるように折り曲げられた部分とブラダー２の側に位置する他方のカーカス片１５における織布片１６の板状となった部分とを積層した造形に構成される。又、一方のカーカス片１５の上記積層の造形となった接合部１８を除く部分側と他方のカーカス片１５の上記積層の造形となった接合部１８を除く部分側とが互いに上記積層の造形となった接合部１８の両側となるように広げられる。更に、織布片１６の表面が外側になった球状のカーカス３の内部には、図外のバルブを有するブラダー２が収容され、その後、表皮４がカーカス３の外側に設けられる。
【００２１】
そして、圧縮空気がブラダー２の内部空間５に注入されるに伴い、ブラダー２が接合部１８を外側に押し出した場合、折り返された接合部１８とそれ以外のカーカス片１５の部分とが同じ厚さになるように、クッション片１７がカーカス片１５の表皮４に接触する最も外側の織布片１６とブラダー２との間で圧縮され、ブラダー２がカーカス片１５のクッション片１７に接触し、接合部１８が表皮４を外側に押し出すことがなく、ボール１の表面が凹凸のない滑らかな表面となり、ブラダー２の空気圧が下がっても接合部１８が表皮４の一部を外側に凸状に押し出すことがなく、また、ボール１のバウンドやかたさにむらがなくなる。
【００２２】
図４を参照し、実施の形態３に係るカーカス３を構成するカーカス片６；１５について説明する。図４では、カーカス片６；１５はカーカス３を構成する複数個のカーカス片として用いられる２種類であり、カーカス片６が２種類のうちの１種類であり、カーカス片１５が２種類のうちのもう１種類である場合を例示し、図１及び図２における実施の形態１及び図３における実施の形態２と同一部分には同一符号を付して重複する説明を省略する。図４のＡ図に示すカーカス片６は、図２のＢ図に示すカーカス片６と同じ構成であり、織布片７と織布片７のブラダー側面に設けられたクッション片８とから織布片７の周囲にクッション片８の有る接合部１０を備えた造形に構成されている。図４のＢ図に示すカーカス片１５は、図３のＡ図に示すカーカス片１５と同じ構成であり、織布片１６と織布片１６のブラダー側面に設けられたクッション片１７とから織布片１６の周囲にクッション片１７の無い接合部１８を備えた造形に構成されている。
【００２３】
図４のＣ図に示すように、カーカス片６；１５どうしを結合させる場合について、１個のカーカス片６の一辺と１個のカーカス片１５の一辺とを結合させる場合を例として説明すると、２個のカーカス片６；１５の表面が互いに接触して重ね合わされる。つまり、２個のカーカス片６；１５の織布片７；１６どうしが互いに接触して重ね合わせられる。一方、２個のカーカス片６；１５の接合部１０；１８が互いに位置を合わせられる。その重ね合わされた状態の接合部１０；１８が縫糸９で図４のＡ図及びＢ図に示す仮想線Ｌに沿って結合される。
【００２４】
次に、図４のＤ図に示すように、上記縫糸９で結合された２つの接合部１０；１８が一方のカーカス片６の側に折り曲げられることにより一方のカーカス片６の側に折り返されて表皮４の側に位置する一方のカーカス片６におけるクッション片８を内側とし織布片７を外側として二重となるように折り曲げられた部分とブラダー２の側に位置する他方のカーカス片１５における織布片１６の板状となった部分とを積層した造形に構成される。又、一方のカーカス片６の上記積層の造形となった接合部１０；１８を除く部分側と他方のカーカス片１５の上記積層の造形となった接合部１０；１８を除く部分側とが互いに上記積層の造形となった接合部１０；１８の両側となるように広げられる。更に、織布片７；１６の表面が外側になった球状のカーカス３の内部には、図外のバルブを有するブラダー２が収容され、その後、表皮４がカーカス３の外側に設けられる。
【００２５】
そして、圧縮空気がブラダー２の内部空間５に注入されるに伴い、ブラダー２が接合部１０；１８を外側に押し出した場合、折り返された接合部１０；１８とそれ以外のカーカス片６；１５とが同じ厚さになるように、接合部１０；１８における二つ折りされたクッション片８と接合部１０；１８の両側のクッション片８；１７とがカーカス片６；１５の表皮４に接触する最も外側の織布片７；１６とブラダー２との間で圧縮され、ブラダー２がカーカス片６；１５のクッション片８；１７に接触し、接合部１０が表皮４を外側に押し出すことがなく、ボール１の表面が凹凸のない滑らかな表面となり、ブラダー２の空気圧が下がっても接合部１０；１８が表皮４の一部を外側に凸状に押し出すことがなく、また、ボール１のバウンドやかたさにむらがなくなる。
【００２６】
図５を参照し、実施の形態４に係るカーカス３を構成する複数個のカーカス片６；１５について説明する。図５では、接合部１０；１８が他方のカーカス片１５の側に折り返された場合の形態であり、図４における実施の形態３と同一部分には同じ符号を付して重複する説明を省略する。図５のＡ図は図４のＡ図と同じ造形であり、図５のＢ図は図４のＢ図と同じ造形であり、図５のＣ図は図４のＣ図と同じ造形である。図５のＤ図に示すように、上記縫糸９で結合された２つの接合部１０；１８が他方のカーカス片１５の側に折り曲げられることにより他方のカーカス片１５の側に折り返されて表皮４の側に位置する他方のカーカス片１５における織布片１６を二重となるように折り曲げられた部分とブラダー２の側に位置する一方のカーカス片６における織布片７とクッション片８との板状となった部分とを積層した造形に構成される。又、一方のカーカス片６の上記積層の造形となった接合部１０；１８を除く部分側と他方のカーカス片１５の上記積層の造形となった接合部１０；１８を除く部分側とが互いに上記積層の造形となった接合部１０；１８の両側となるように広げられる。更に、織布片７；１６の表面が外側になった球状のカーカス３の内部には、図外のバルブを有するブラダー２が収容され、その後、表皮４がカーカス３の外側に設けられる。
【００２７】
そして、圧縮空気がブラダー２の内部空間５に注入されるに伴い、ブラダー２が接合部１０；１８を外側に押し出した場合、折り返された接合部１０；１８とそれ以外のカーカス片６；１５とが同じ厚さになるように、接合部１０におけるクッション片８と接合部１０；１８の両側のクッション片８；１７とがカーカス片６；１５の表皮４に接触する最も外側の織布片７；１６とブラダー２との間で圧縮され、ブラダー２がカーカス片６；１５のクッション片８；１７に接触し、接合部１０が表皮４を外側に押し出すことがなく、ボール１の表面が凹凸のない滑らかな表面となり、ブラダー２の空気圧が下がっても接合部１０；１８が表皮４の一部を外側に凸状に押し出すことがなく、また、ボール１のバウンドやかたさにむらがなくなる。
【００２８】
図６を参照し、実施の形態５に係るカーカス３を構成する複数個のカーカス片６；２０について説明する。図６では、図５における実施の形態４と同一部分には同じ符号を付して重複する説明を省略する。図６のＡ図に示すカーカス片６は、図５のＡ図に示すカーカス片６と同じ構成であり、織布片７と織布片７のブラダー側面に設けられたクッション片８とから織布片７の周囲にクッション片８の有る接合部１０を備えた造形に構成される。図６のＢ図に示すカーカス片２０は、織布片２１と織布片２１のブラダー側面に設けられたクッション片２２と織布片７の周囲に設けられた接合部２３とを備えた造形に構成される。接合部２３は、クッション片の存在しない織布片だけの部分２４と織布片及びクッション片の存在する部分２５とを備えた造形に構成される。
【００２９】
カーカス片２０の作り方は、次のような方法が考えられる。例えば、織布片２１が図外の織布シートから所定形状に切り出され、クッション片２２が図外のクッションシートから織布片２１よりも小形で同形の所定形状に切り出され、この切り出されたクッション片２２が織布片２１の裏面に仮想線Ｌよりも内側に配置されて貼り合わせられる一方、織布片及びクッション片の存在する部分２５のクッション片が図外のクッションシートから織布片２１と同じ大きさの外形でクッション片２２よりも大きな形で同形の所定形状に切り出され、この切り出された織布片及びクッション片の存在する部分２５のクッション片がクッション片２２の外側にクッション片の存在しない織布片だけの部分２４を形成するように織布片２１の裏面に配置されて貼り合わせられた状態である。又、別の作り方は、図２のＡ図に示す積層シート１１からカーカス片６が切り出される。この切り出された図２のＢ図に示すカーカス片６におけるクッション片の存在しない織布片だけの部分２４に相当する部分のクッション片を除去することにより、図２のＢ図に示すカーカス片６が図６のＢ図に示す接合部２３をクッション片の存在しない織布片だけの部分２４と織布片及びクッション片の存在する部分２５とかなる造形のカーカス片２０になる。
【００３０】
図６のＣ図に示すように、カーカス片６；２０どうしを結合させる場合について、１個のカーカス片６の一辺と１個のカーカス片２０の一辺とを結合させる場合を例として説明すると、２個のカーカス片６；２０の表面が互いに接触して重ね合わされる。つまり、２個のカーカス片６；２０の織布片７；２１どうしが互いに接触して重ね合わせられる。又、一方のカーカス片６の接合部１０と他方のカーカス片２０の接合部２３とが互いに位置を合わせられる。その重ね合わされた状態の接合部１０；２３が縫糸９で図６のＡ図に示す仮想線Ｌに沿って結合される。
【００３１】
次に、図６のＤ図に示すように、縫糸９で結合された２つの接合部１０；２３が他方の接合部２３の側に折り曲げられることにより他方の接合部２３の織布片及びクッション片の存在する部分２５をクッション片の存在しない織布片だけの部分２４に重ね合わせるように折り曲げられた部分と一方の接合部１０の織布片７及びクッション片８の板状となった部分とを積層した造形に構成される。又、一方のカーカス片６の上記積層の造形となった接合部１０を除く部分側と他方のカーカス片２０の上記積層の造形となった接合部２３を除く部分側とが互いに上記積層の造形となった接合部１０；２３の両側となるように広げられる。更に、織布片７；２１の表面が外側になった球状のカーカス３の内部には、図外のバルブを有するブラダー２が収容され、その後、表皮４がカーカス３の外側に設けられる。
【００３２】
そして、圧縮空気がブラダー２の内部空間５に注入されるに伴い、ブラダー２が接合部１０；２３を外側に押し出した場合、折り返された接合部１０；２３とそれ以外のカーカス片６；２０の部分とが同じ厚さになるように、クッション片８；２２がカーカス片６；２０の表皮４に接触する最も外側の織布片７；２１とブラダー２との間で圧縮され、ブラダー２がカーカス片６；２０のクッション片８；２２に接触し、接合部１０；２３が表皮４を外側に押し出すことがなく、ボール１の表面が凹凸のない滑らかな表面となり、ブラダー２の空気圧が下がっても接合部１０；２３が表皮４の一部を外側に凸状に押し出すことがなく、また、ボール１のバウンドやかたさにむらがなくなる。
【００３３】
図７を参照し、実施の形態６に係るカーカス片について説明する。カーカス片２６は、図２のＡ図に示す織布シート１２の裏面にクッションシート１３を貼り合わせた造形の積層シート１１から所定形状に切り出された態様であり、図７に示すように、例えば、五角形領域と六角形領域とからなる所定形状になっている。図７において、点線は、五角形領域と六角形領域とが繋がった部分や六角形領域と六角形領域とが繋がった部分を示す。五角形領域や六角形領域の互いに離れている部分が図２のＣ図又は図３のＢ図又は図４のＣ図又は図５のＣ図又は図６のＣ図のように結合させる。そして、図２のＤ図又は図３のＣ図又は図４のＤ図又は図５のＤ図又は図６のＤ図に示すように、上記縫糸で結合された２つの接合部が積層の造形となると共に、一方のカーカス片６の上記積層の造形となった接合部を除く部分側と他方のカーカス片の上記積層の造形となった接合部を除く部分側とが互いに上記積層の造形となった２つの接合部の両側となるように広げられ、更に、織布片の表面が外側になった球状のカーカスの内部に図外のバルブを有するブラダーが収容され、その後、表皮がカーカスの外側に設けられ、そして、圧縮空気がブラダーの内部空間に注入されるに伴い、ブラダーが接合部を外側に押し出した場合、折り返された接合部とそれ以外のカーカス片の部分とが同じ厚さになるように、クッション片がカーカス片の表皮に接触する最も外側の織布片とブラダーとの間で圧縮され、ブラダーがカーカス片のクッション片に接触し、接合部が表皮を外側に押し出すことがなく、ボールの表面が凹凸のない滑らかな表面となり、ブラダーの空気圧が下がっても接合部が表皮の一部を外側に凸状に押し出すことがなく、また、ボールのバウンドやかたさにむらがなくなる。
【００３４】
図示は省略したが、図７のカーカス片２６を五角形領域と六角形領域とからなる複数個に構成しても、実施は可能である。
【００３５】
図１乃至図７における実施の形態１乃至６では、カーカス片６；１５；２０；２６を互いに縫糸９で結合したが、カーカス片６；１５；２０；２６を互いに接着又は溶着で結合しても実施は可能である。
【符号の説明】
【００３６】
１はボール、２はブラダー、３はカーカス、４は表皮、５は内部空間、６はカーカス片、７は織布片、８はクッション片、９は縫糸、１０は接合部、１１は積層シート、１２は織布シート、１３はクッションシート、１４は欠番、１５はカーカス片、１６は織布片、１７はクッション片、１８は接合部、１９は欠番、２０はカーカス片、２１は織布片、２２は内側クッション片、２３は接合部、２４はクッション片の存在しない織布片だけの部分、２５は織布片及びクッション片の存在する部分、２６はカーカス片、２７乃至３０は欠番、３１はボール、３２はブラダー、３３はカーカス、３４は表皮、３５は内部空間、３６は織布片、３７は縫糸，３８は接合部。
【図１】
2014132995.tif 000003
【図２】
2014132995.tif 000004
【図３】
2014132995.tif 000005
【図４】
2014132995.tif 000006
【図５】
2014132995.tif 000007
【図６】
2014132995.tif 000008
【図７】
2014132995.tif 000009
【図８】
2014132995.tif 000010